(57)【要約】【課題】ダイヤルに外力が加わっても外力が軸に伝達されず、軸の破損を防止することができるダイヤル取付構造を提供する。【解決手段】ダイヤル１４を本体３に取り付けるダイヤル取付構造において、ダイヤル１４を本体３に回転操作可能に支持し、ダイヤル１４と別体の軸１８の第１端をダイヤル１４に一体回転可能に係合し、第２端を本体３に設けた軸受部３３に支持して、軸１８をダイヤル１４と軸受部３３の間に介在させた。【選択図】図５
2007307130.tif 000002
【特許請求の範囲】
【請求項１】
ダイヤルを本体に取り付けるダイヤル取付構造において、
前記ダイヤルを本体に回転操作可能に支持し、
前記ダイヤルと別体の軸の第１端を前記ダイヤルに一体回転可能に係合し、第２端を前記本体に設けた軸受部に支持して、前記軸を前記ダイヤルと前記軸受部の間に介在させたことを特徴とするダイヤル取付構造。
【請求項２】
前記ダイヤルに前記軸を中心とする環状に延びる係合部を設け、前記本体に前記係合部と係合する被係合部を設けたことを特徴とする請求項１に記載のダイヤル取付構造。
【請求項３】
前記係合部は凹形状で、前記被係合部は凸形状であり、
前記被係合部は、前記軸を中心とする１８０°より大きい角度で円弧状に延設したことを特徴とする請求項２に記載のダイヤル取付構造。
【請求項４】
前記ダイヤルを前記本体に対して押さえて抜け止めする押さえ部材を設けたことを特徴とする請求項１から３のいずれかに記載のダイヤル取付構造。
【請求項５】
前記軸の第１端は前記ダイヤルに隙間を持って係合したことを特徴とする請求項１から４のいずれかに記載のダイヤル取付構造。
【請求項６】
前記ダイヤルは本体が設置される床面に対して水平に取り付けたことを特徴とする請求項１から５のいずれかに記載のダイヤル取付構造。
【発明の詳細な説明】
【技術分野】
【０００１】
本発明はトースターの焼き色調節ダイヤル等、家庭用の各種電気製品のダイヤルを本体に取り付けるダイヤル取付構造に関する。
【背景技術】
【０００２】
従来、例えば家庭用のトースターでは、特許文献１に示すように、ヒータの抵抗値を変化させてトーストの焼き色を調節するための焼き色調節ダイヤルが設けられている。この焼き色調節ダイヤルは、軸に固定されて一体になっており、トースター本体が設置される床面に対して垂直に（軸が水平になるように）取り付けられている。
【特許文献１】特開２００１−１７８６３２号公報
【発明の開示】
【発明が解決しようとする課題】
【０００３】
しかしながら、従来のダイヤル取付構造では、焼き色調節ダイヤルを回転操作する際に回転力以外の外力が加わると、その外力はダイヤルから軸に伝達され、軸が破損する恐れがあった。
【０００４】
本発明は前記問題点に鑑みてなされたもので、ダイヤルに外力が加わっても外力が軸に伝達されず、軸の破損を防止することができるダイヤル取付構造を提供することを課題とする。
【課題を解決するための手段】
【０００５】
前記課題を解決するための手段として、本発明は、
ダイヤルを本体に取り付けるダイヤル取付構造において、
前記ダイヤルを本体に回転操作可能に支持し、
前記ダイヤルと別体の軸の第１端を前記ダイヤルに一体回転可能に係合し、第２端を前記本体に設けた軸受部に支持して、前記軸を前記ダイヤルと前記軸受部の間に介在させたものである。
【０００６】
前記手段によると、軸はダイヤルと別体で、その第１端がダイヤルに一体回転可能に係合しているだけであるので、ダイヤルに軸に垂直な外力が加わっても、その外力は軸に伝達されることはない。また、ダイヤルに軸に平行な外力が加わっても、ダイヤルは本体に回転操作可能に支持しているので、外力は本体に伝達されるが、軸には伝達されない。
【０００７】
前記ダイヤルに前記軸を中心とする環状に延びる係合部を設け、前記本体に前記係合部と係合する被係合部を設けることが好ましい。この場合、前記係合部は凹形状で、前記被係合部は凸形状であり、前記被係合部は、前記軸を中心とする１８０°より大きい角度で円弧状に延設することが好ましい。さらに、前記ダイヤルを前記本体に対して押さえて抜け止めする押さえ部材を設けることが好ましい。
【０００８】
前記軸の第１端は前記ダイヤルに隙間を持って係合することが好ましい。
【０００９】
前記ダイヤルは本体が設置される床面に対して水平に取り付けることが好ましい。
【発明の効果】
【００１０】
本発明によれば、軸はダイヤルと別体で、その第１端がダイヤルの中心部に一体回転可能に係合しているだけであるので、ダイヤルに軸に垂直な外力が加わっても、その外力は軸に伝達されることはないし、また、ダイヤルに軸に平行な外力が加わっても、ダイヤルは本体に回転操作可能に支持しているので、外力は本体に伝達されるが、軸には伝達されない。このため、ダイヤルに外力が加わっても、軸の破損を防止することができる。
【発明を実施するための最良の形態】
【００１１】
以下、本発明の実施の形態を添付図面に従って説明する。
【００１２】
図１〜４は本発明に係るダイヤル取付構造を適用したトースター１の全体斜視図、平面図、正面図、背面図を示す。このトースター１は、胴本体２、底体３、天板４、パネル５及び背板６とからなっている。
【００１３】
胴本体２は、略楕円の筒形で、正面と背面には下端から逆Ｕ字形に切り欠くことで開口部７ａ，７ｂが形成されている。胴本体２の内部には、図示しないヒータを備えた２つの焼成室が形成されている。底体３は、アルミ又はアルミ合金からなる皿形で、胴本体２の下端に取り付けられている。底体３には、前記焼成室が固定されている。天板４は、胴本体２の上端に取り付けられ、パンの挿入口となるスロット８が２つ形成されている。
【００１４】
パネル５は、前記胴本体２の正面の開口部７ａに取り付けられ、開口部７ａの上縁と底体３の間に挟持されている。パネル５には、中央に上下方向に延びるスリット９が形成され、該スリット９からパンの昇降レバー１０が突出している。スリット９の右側には、１枚／２枚選択、冷凍、取消の各種モードスイッチ１１ａ，１１ｂ，１１ｃと、それらが選択されたことを示す表示ランプ１２ａ，１２ｂ，１２ｃが取り付けられている。パネル５の下端には切欠き１３が形成され、該切欠き１３から焼き色調節ダイヤル１４が突出し、トースター１が載置される床面に対し水平に回転操作可能に取り付けられている。パネル５の上端には、外方に突出する把手１５が形成されている。背板６は、パネル５におけるスリット９、昇降レバー１０、各種スイッチ１１ａ，１１ｂ，１１ｃ、ランプ１２ａ，１２ｂ，１２ｃ及び切欠き１３が無い以外は、前記パネル５と同一の形状を有し、前記パネルと同様に取り付けられている。
【００１５】
図５は、前記焼き色調節ダイヤル（以下、単にダイヤルという。）１４の取付構造の構成部品である、ダイヤル１４、底体３、基板ホルダ１６、基板１７、軸１８、目盛り板１９を示す。
【００１６】
ダイヤル１４は、図６に示すように、円板形で、外周には多数のノッチ２０が形成されている。ダイヤル１４の上面には円形の窪み２１が形成されている。窪み２１の中心には目盛り板１９を取り付けるために先端に爪２２を有する４つの弾性突片２３が突設されている。窪み２１の外周部には、ダイヤル１４の軸心を中心とする円弧上に４つの突起２４が等間隔で配置されている。最も端に位置する突起２４の近傍には、１対の係止片２５が放射状に形成されている。ダイヤル１４の下面には、円形の窪み２６と、該窪み２６の外側に環状の係合凹部２７が形成されている。窪み２６の中心には、突部２８が形成され、該突部２８に不等辺五角形（正確には、正方形の１辺が三角形に突出した形状）の凹部２９が形成されている。この凹部２９の形状は、不等辺五角形に限らず、後述する軸１８が一体回転可能な形状であればよく、さらに好ましくは、後述する軸１８が一方向にしか係合できない形状である。なお。ダイヤル１４には、後述する目盛り板の目盛りに合わせる図示しない指標が設けられている。
【００１７】
底体３には、図７に示すように、前側上端縁から前方に水平に突出する略半円形状の突出部３０が形成されている。突出部３０の縁には円弧状の被係合凸部３１が形成されている。この被係合凸部３１の両端は、底体３内にある点を中心として略２７０°にわたって底体３の内側まで延びている。円弧状の被係合凸部３１の周方向の長さは、１８０°より大きければよい。１８０°以下では、被係合凸部３１にダイヤル１４を載せた際にダイヤル１４が傾くからである。
【００１８】
基板ホルダ１６は、前記底体３の前側部分にねじ止めされている。基板ホルダ１６の前側縁は、前記底体３の円弧状の被係合凸部３１の両端間に位置する張出部３２を有し、この張出部３２に後述する軸１８が係合する環状リブ形の軸受部３３が形成されている。この基板ホルダ１６の軸受部３３は、本願発明のダイヤル取付構造の軸の第２端を支持するものである。
【００１９】
基板１７は、前記基板ホルダ１６に取り付けられ、前記基板ホルダ１６の軸受部３３と対応する位置に焼き色調節用のボリューム３４が実装されている。
【００２０】
軸１８は、図８に示すように、本体部３５とその第１端である上端に位置する頭部３６からなっている。本体部３５は前記基板１７のボリューム３４を貫通し係合するＤ字形の横断面形状を有し、その第２端である下端は前記基板ホルダ１６の軸受部３３に回転可能に係合するようになっている。頭部３６は不等辺五角形の断面形状を有し、前記ダイヤル１４の不等辺五角形の凹部２９に係合して当該ダイヤル１４と一体回転するようになっている。頭部３６の頂面には、成形時のひけ防止用の穴３９が形成されている。
【００２１】
目盛り板１９は、前記ダイヤル１４の押さえ部材となるもので、図９に示すように、円板状で、その対向する位置に一対の取付アーム３８ａ，３８ｂを有し、この取付アーム３８ａ，３８ｂが前記底板３にねじ止めされている。目盛り板１９の中心には上面および下面から上下方向に突出する突出部３９を有し、該突出部３９に貫通孔４０が設けられている。また、目盛り板１９の軸芯を中心とする円弧状のスリット４１を形成することで、該スリット４１の外側に弾性片４２が設けられている。弾性片４２の中央下面には半球状の凸部４３が形成されている。目盛り板１９の裏面には、前記突出部３９の外周面から放射状に延びる１対のストッパ４４ａ，４４ｂと該１対のストッパ４４ａ，４４ｂの先端を結ぶ円弧状のリブ４５が形成されている。目盛り板１９の弾性片４２と反対側の上面には、前記ダイヤル１４の指標が合わせられる図示しない目盛りが設けられるようになっている。
【００２２】
次に、前記構成からなるダイヤル取付構造によるダイヤル１４の取付手順及びその作用を説明する。
【００２３】
前記ダイヤル１４を取り付けるには、まず、ボリューム３４を実装した基板１７を基板ホルダ１６に保持し、該基板ホルダ１６を底板３の所定の位置にねじ止めして取り付ける。次に、軸１８の本体部３５の下端をボリューム３４に挿入して基板ホルダ１６の軸受部３３に係合する。そして、ダイヤル１４の係合凹部２７が底体３の被係合凸部３１に係合するようにダイヤル１４を載置し、ダイヤル１４の凹部２９を軸１８の頭部３６に係合する。このとき、ダイヤル１４の凹部２９と軸１８の頭部３６はともに不等辺五角形であるので、軸１８は一方向にしか係合することができない。このため、軸１８の本体部３５が係合するボリューム３４の回転方向位置とダイヤル１４の回転方向位置は１位置で対応する。最後に、目盛り板１９の貫通孔４０にダイヤル１４の４つの弾性突片２３が挿入されるようにして、目盛り板１９をダイヤル１４に装着するとともに、取付アーム３８ａ，３８ｂを底体３の所定の位置にねじ止めにより取り付ける。これにより、ダイヤル１４の中心部は、軸１８の頭部３６と目盛り板１９とで挟み込まれて支持される。このため、ダイヤル１４を回転操作すると、その回転力はダイヤル１４の凹部２９と軸１８の頭部３６の係合を介して軸１８に伝達される。これにより、軸１８が回転し、ボリューム３４が可変される。
【００２４】
前記ダイヤル取付構造では、ダイヤル１４はその係合凹部２７が底体３の被係合凸部３１に回転可能に支持され、軸１８はダイヤル１４と別体で、その頭部３６がダイヤル１４の凹部２９に一体回転可能に、しかも、水平，垂直方向に隙間を持って係合しているだけである。このため、図１０中矢印Ｐ１に示すように、ダイヤル１４に軸１８に垂直な外力が加わっても、外力はダイヤル１４の係合凹部２７から底体３の被係合凸部３１に伝達されるが、軸１８には伝達されることはない。また、図１０中矢印Ｐ２で示すように、外力はダイヤル１４の係合凹部２７から底体３の被係合凸部３１に伝達されるが、軸１８には伝達されない。したがって、このような外力が作用しても、軸１８が破損することはない
【００２５】
前記ダイヤル１４は、目盛り板１９の弾性片４２の凸部４３とダイヤル１４の複数の突起２４とからなるクリック構造を有する。ダイヤル１４を回転操作すると、目盛り板１９の弾性片４２の凸部４３がダイヤル１４の複数の突起２４を乗り越えて突起２４間に係止する際にクリック感が得られるので、その位置で正確にダイヤル１４を停止させることができ、焼き色を正確に設定することができる。また、目盛り板１９の弾性片４２はダイヤル１４の回転方向に延びているので、弾性片４２の凸部４３が複数の突起２４を乗り越える際に弾性片４２が捩れることなく撓み、滑らかなクリック感が得られる。
【００２６】
また、ダイヤル１４を左右いずれかの方向に回してゆき、弾性片４２の凸部４３がダイヤル１４の複数の突起２４の最後のものを乗り越えると、ダイヤル１４の係止片２５が目盛り板１９のストッパ４４ａ，４４ｂに当接するので、ダイヤル１４の回りすぎが防止される。
【００２７】
なお、前記実施形態では、軸１８を垂直方向に設けてダイヤル１４を水平方向に回転操作するようにしたが、軸１８を水平に設けてダイヤル１４を垂直方向に回転操作するようにしてもよい。
【００２８】
また、前記ダイヤル取付構造では、係合凹部２７をダイヤル１４に設け、被係合凸部３１を底体３に設けたが、これと逆に、係合凸部をダイヤル１４に設け、被係合凹部を底体３に設けてもよい。
【００２９】
また、前記ダイヤルクリック構造では、弾性片４２を目盛り板１９に設け、複数の突起２４をダイヤルに設けたが、これと逆に、弾性片をダイヤル１４に設け、複数の突部を目盛り板１９に設けてもよい。
【図面の簡単な説明】
【００３０】
【図１】本発明のダイヤル取付構造を適用したトースターの全体斜視図。
【図２】図１のトースターの平面図。
【図３】図１のトースターの正面図。
【図４】図１のトースターの背面図。
【図５】ダイヤル取付構造を示す分解斜視図。
【図６】ダイヤルの平面図（ａ）、正面図（ｂ）、底面図（ｃ）。
【図７】底体の一部平面図（ａ）及び一部正面図（ｃ）。
【図８】軸の平面図（ａ）、正面断面図（ｂ）、底面図（ｃ）。
【図９】目盛り板の平面図（ａ）、正面図（ｂ）、底面図（ｃ）、（ａ）のＡ−Ａ線断面図（ｄ）。
【図１０】ダイヤル取付構造を示す断面図。
【符号の説明】
【００３１】
３  底体（本体）
１４  焼き色調節ダイヤル
１８  軸
１９  目盛り板（押さえ部材）
２７  係合凹部（係合部）
３３  軸受部
３５  本体部
３６  頭部
【図１】
2007307130.tif 000003
【図２】
2007307130.tif 000004
【図３】
2007307130.tif 000005
【図４】
2007307130.tif 000006
【図５】
2007307130.tif 000007
【図６】
2007307130.tif 000008
【図７】
2007307130.tif 000009
【図８】
2007307130.tif 000010
【図９】
2007307130.tif 000011
【図１０】
2007307130.tif 000012